(57)【要約】      （修正有）【課題】キャスター台の旋回が円滑に行われ、クッション効果も良好であるトランクキャスタークッション構造を提供する。【解決手段】キャスター１０を有するキャスター台２０と、キャスター台２０を旋回可能にトランクの基台５０に取り付ける軸ピン３０と、軸ピン３０と嵌合して、基台５０とキャスター台との間に設けてあるフレキシブルクッション６０とローリング部品８０とを有する。軸ピン３０の外径は、第一、第二位置決め部３２１を有し、且つ、第一、第二作動空間形成部分３２，３３を有する。第一、第二作動空間形成部分は、対応した第一、第二作動空間３２Ｓ，３３Ｓを形成する。フレキシブルクッション６０は、第一位置決め部３２１によって位置を決定されて、第一作動空間３２Ｓに設けてある。フレキシブルクッション６０は、斜めに伸びた複数のフレキシブルフィードを有し、第一作動空間３２Ｓの範囲内のみで伸縮変化を行う。【選択図】図８
0003143706.tif 000002
【実用新案登録請求の範囲】
【請求項１】
キャスター（１０）を有するキャスター台（２０）と、
前記キャスター台（２０）を旋回可能にトランクの基台（５０）に取り付ける軸ピン（３０）と、
前記軸ピン（３０）と嵌合して、前記基台（５０）と前記キャスター台（５０）との間に設けてあるフレキシブルクッション（６０）とローリング部品（８０）とを有するトランクキャスタークッション構造であって、
前記軸ピン（３０）は、少なくとも二つの独立した作動空間形成部分（３２，３３）を有し、且つ、隣り合う作動空間形成部分（３２，３３）の間に、位置決め部（３２１，３３１）を有し、
前記作動空間形成部分（３２，３３）は、夫々作動空間（３２Ｓ，３３Ｓ）を形成しており、
前記フレキシブルクッション（６０）は、一つの位置決め部によって位置を決められて、隣り合う二つの作動空間に跨らないで一つの前記作動空間内に設けられ、該一つの作動空間内で伸縮する、少なくとも２つの独立した作動空間を有するトランクキャスタークッション構造。
【請求項２】
前記フレキシブルクッション（６０）の底面側に、硬質クッション（７０）及びローリング部品（８０）が設けられ、
前記軸ピン（３０）は、基台位置決めセクション（３１）と第一作動空間形成部分（３２）と第二作動空間形成部分（３３）を有し、前記基台位置決めセクション（３１）と前記第一作動空間形成部分（３２）との間に第一位置決め部（３２１）を有し、前記第一作動空間形成部分（３２）と前記第二作動空間形成部分（３３）の間に第二位置決め部（３２２）を有し、且つ、前記第二作動空間形成部分（３３）の底部に第三位置決め部（３２３）を有し、
前記軸ピン（３０）は、前記キャスター台（２０）、ローリング部品（８０）、硬質クッション（７０）、前記フレキシブルクッション（６０）の中央貫通孔を通って、該基台位置決めセクション（３１）を前記基台（５０）に固定してあり、
前記第一、第二作動空間形成部分（３２，３３）は、夫々第一、第二作動空間（３２Ｓ，３３Ｓ）を形成しており、
前記第一位置決め部（３２１）は、前記フレキシブルクッション（６０）の底面を係止しており、
前記硬質クッション（７０）は前記フレキシブルクッション（６０）によって下向きの弾力を作用されて、前記硬質クッション（７０）の底面は前記第二位置決め部（３２２）に係止されており、
前記フレキシブルクッション（６０）及び前記硬質クッション（７０）は、共に前記第一作動空間（３２Ｓ）内に設けてあり、
前記ローリング部品（８０）及び前記キャスター台（２０）の上部設置部（２１）は、前記第二作動空間（３３Ｓ）内に設けてあり、
前記軸ピン（３０）の前記第三位置決め部（３２３）は、前記キャスター台（２０）を係止している、請求項１に記載のトランクキャスタークッション構造。
【請求項３】
キャスター（１０）を有するキャスター台（２０）と、
前記キャスター台（２０）を旋回可能にトランクの基台（５０）に取り付ける軸ピン（３０）と、
前記軸ピン（３０）と嵌合して、前記基台（５０）と前記キャスター台（５０）との間に設けてあるフレキシブルクッション（６０）とローリング部品（８０）とを有するトランクキャスタークッション構造であって、
前記軸ピン（３０）の外径は、複数の位置決め部（３２１，３３１）を有し、且つ、複数の作動空間形成部分（３２，３３）を有し、
該複数の作動空間形成部分（３２，３３）は、夫々作動空間（３２Ｓ，３３Ｓ）を形成しており、
前記フレキシブルクッション（６０）は、その中の一つの作動空間に設けられ、一位置決め部によって位置を決定されており、前記キャスター台（２０）の上部設置部（２１）は、もう一つの作動空間内に設けられ、もう一つの位置決め部によって位置を決定されており、
前記フレキシブルクッション（６０）は、斜めに伸びた複数のフレキシブルフィード（６１）を有し、二つの作動空間に跨らないで、対応する一つの作動空間の範囲内のみで伸縮変化を行う、少なくとも２つの独立した作動空間を有するトランクキャスタークッション構造。
【請求項４】
前記フレキシブルクッション（６０）の底面側に、硬質クッション（７０）及びローリング部品（８０）が設けられ、
前記軸ピン（３０）は、基台位置決めセクション（３１）と第一作動空間形成部分（３２）と第二作動空間形成部分（３３）を有し、
前記基台位置決めセクション（３１）と前記第一作動空間形成部分（３２）との間に第一位置決め部（３２１）を有し、
前記第一作動空間形成部分（３２）と前記第二作動空間形成部分（３３）の間に第二位置決め部（３２２）を有し、
且つ、前記第二作動空間形成部分（３３）の底部に第三位置決め部（３２３）を有し、
前記軸ピン（３０）は、前記キャスター台（２０）、ローリング部品（８０）、硬質クッション（７０）、前記フレキシブルクッション（６０）の中央貫通孔を通って、該基台位置決めセクション（３１）を前記基台（５０）に固定してあり、
前記第一、第二作動空間形成部分（３２，３３）は、夫々第一、第二作動空間（３２Ｓ，３３Ｓ）を形成しており、
前記第一位置決め部（３２１）は、前記フレキシブルクッション（６０）の底面を係止しており、
前記硬質クッション（７０）は前記フレキシブルクッション（６０）によって下向きの弾力を作用されて、前記硬質クッション（７０）の底面が前記フレキシブルクッション（６０）によって下向きの弾力を作用されて、前記第二位置決め部（３２２）に係止されており、
前記フレキシブルクッション（６０）及び前記硬質クッション（７０）は、共に前記第一作動空間（３２Ｓ）内に設けてあり、
前記ローリング部品（８０）及び前記キャスター台（２０）の上部設置部（２１）は、前記第二作動空間（３３Ｓ）内に設けてあり、
前記軸ピン（３０）の前記第三位置決め部（３２３）は、前記キャスター台（２０）を係止している、請求項３に記載のトランクキャスタークッション構造。
【請求項５】
前記フレキシブルクッション（６０）は、金属シートによって形成され、周囲には、間隔を置きながら、カーブ形中空部（６２）が形成してあり、相対して外側片（６３）が設けてあり、該カーブ形中空部（６２）の外側は、前記フレキシブルクッション（６０）の縁を通って、外側片（６３）が下向きに所定の斜め角度で曲げられて、フレキシブルフィード（６１）が形成してある、請求項３に記載のトランクキャスタークッション構造。
【請求項６】
前記フレキシブルクッション（６０）は、スプリング又は膠質弾性体又は伸縮可能のフレキシブル部品である、請求項３に記載のトランクキャスタークッション構造。
【請求項７】
請求項３に記載のトランクキャスタークッション構造に使用されるフレキシブルクッション（６０）であって、
斜めに伸びた複数のフレキシブルフィードが設けてある構成のフレキシブルクッション。
【請求項８】
前記フレキシブルクッションは、金属シートに設けられ、その周りには、間隔を置きながら、カーブ形中空部が設けられ、相対して外側片が設けられるようになり、前記カーブ形中空部の外側は、フレキシブルクッションの縁を通って、外側片が下向きに所定の斜め角度に曲がって、前記フレキシブルフィードが設けられるようになることを特徴とする請求項７に記載のフレキシブルクッション。
【請求項９】
請求項１又は請求項３に記載のトランクキャスタークッション構造に使用される軸ピンであって、
複数の位置決め部が設けてあり、且つ、複数の作動空間形成部分が設けてあることを特徴とする軸ピン。
【請求項１０】
前記軸ピンは、基台位置決めセクション、第一作動空間形成部分、第二作動空間形成部分が上から下へと設けられるようになり、それにより、基台位置決めセクションの外径は、第一作動空間形成部分より小さくて、第一位置決め部が設けられるようになり、前記第一作動空間形成部分の外径は、第二作動空間形成部分より小さくて、第二位置決め部が設けられるようになり、そして、前記第二作動空間形成部分の底部には第三位置決め部が設けてあることを特徴とする請求項９に記載の軸ピンである。
【考案の詳細な説明】
【技術分野】
【０００１】
本考案は、トランクキャスタークッション構造に係り、旋回が円滑にできるようになり、利用者がトランクを気楽で簡単に押したり引いたりするために優れたクッション効果を有するトランクキャスターのクッション構造に関する。
【背景技術】
【０００２】
従来のトランクキャスター構造は、クッション効果への配慮が少ないため、トランクを引きながら、凸凹のある平らな地面を通るとき、キャスターとトランク本体とは、激しくぶつかりがちになり、トランク内の物品が激しくぶりかりあい、破損しやすく、また、キャスターやトランクはその激しい衝撃で、早く破損するようになり、その上、激しい衝撃により生じた大きな騒音が嫌がられていた。
【０００３】
キャスター構造にフレキシブル部品搭載の改良タイプが開発された。しかし、従来のキャスタークッション構造の設計は、そのフレキシブル部品とローリング部品を同じ作動空間内に設けて組み合わせているため、キャスターのキャスター台は円滑に動けない状態になる。
【０００４】
図１は従来のキャスタークッション構造を示す。トランク基台０２の底面とキャスター台０３の上部との間には、フレキシブルクッションリング０４、硬質クッションリング０５、ローリング部品０６が上から下へと並んで設けられており、また、軸ピン０７でつながり、位置が決められている。
【考案の開示】
【考案が解決しようとする課題】
【０００５】
この従来の構造は以下に記載する問題点を有する。
【０００６】
1.  図２に示すように、軸ピン０７の上部０８は、リベット締めで位置が決められると同時に、フレキシブルクッションリング０４、硬質クッションリング０５、ローリング部品０６の三者には、クランプ式の圧迫力（図中の矢印Ｌ１）が与えられている。フレキシブルクッションリング０４は圧迫されてスプリング予圧が発生している。
【０００７】
軸ピン０７の位置が決められてから、フレキシブルクッションリング０４のスプリング反作用力（図中の矢印Ｌ２）で、硬質クッションリング０５とローリング部品０６を逆方向に突き出すようになる。ローリング部品０６は過大に圧迫されて、キャスター台０３は旋回が阻まれ、うまく旋回できないという欠点がある。
【０００８】
図３は、利用者がトランクＡを立てるように動かすイメージだが、利用者は、手でハンドルＡ２を引きながら、トランクを前へ進み、方向を変えるようにし、それに、トランクの重量を足すと、利用者の肘は、かなりの重量を負荷している。トランクキャスターに上述の従来の構造が採用された場合、キャスター０９のキャスター台０３は自由に旋回できないために、図４に示すように、利用者がトランクＡの方向を変えるとき（矢印Ｌ３）、前記キャスター０９のキャスター台０３がきつくて、トランクＡが利用者の動きと共に方向を変えることができず（ルートＬ４）、抵抗力が発生してしまい、その抵抗力の発生で、利用者の手は、より大きな力を使って、キャスター台０３の方向を変えなければならないし、そこで、利用者は手が痛くなり、かなりの力がかかるようになり、トランクを動かすために大きな負荷を抱え、トランクの使用時の便利さや品質のマイナスなイメージになる。
【０００９】
２．  前記フレキシブルクッションリング０４は、シート状になり、そのスプリング作用は、フレキシブル材質（例えば、ゴム）からなるシートの厚みから生じるため、起こりうるスプリング効果がかなり微小なるものであり、そして、トランクが斜めの角度で進むとき、前記フレキシブルクッションリング０４は、十分なフレキシブルのクッション効果がないので、効果がよくない。
【００１０】
そこで、本考案は、上記の問題点を解決したトランクキャスタークッション構造を提供することを目的とする。
【課題を解決するための手段】
【００１１】
本考案は、キャスター（１０）を有するキャスター台（２０）と、
前記キャスター台（２０）を旋回可能にトランクの基台（５０）に取り付ける軸ピン（３０）と、
前記軸ピン（３０）と嵌合して、前記基台（５０）と前記キャスター台（５０）との間に設けてあるフレキシブルクッション（６０）とローリング部品（８０）とを有するトランクキャスタークッション構造であって、
前記軸ピン（３０）は、少なくとも二つの独立した作動空間形成部分（３２，３３）を有し、且つ、隣り合う作動空間形成部分（３２，３３）の間に、位置決め部（３２１，３３１）を有し、
前記作動空間形成部分（３２，３３）は、対応した作動空間（３２Ｓ，３３Ｓ）を形成しており、
前記フレキシブルクッション（６０）は、一つの位置決め部によって位置を決められて、隣り合う二つの作動空間に跨らないで一つの前記作動空間内に設けられ、該一つの作動空間内で伸縮するように構成する。
【考案の効果】
【００１２】
その一：  前記フレキシブルクッション及びローリング部品の動く範囲は、それぞれ具体的に限定されるようになり、トランクキャスターのクッション構造は、クッション効果及びキャスターがスムーズに回転できることを兼ねており、使用時、ユーザの手に掛ける負担が大幅に低減され、気楽に利用でき、便利に使えるようになり、トランクの品質も大きく向上される。  
その二：  業界では、仕様によるトランクの荷重状態に対応するために、前記アクスルピンにある一作動空間の高さを変えると、フレキシブルクッションの伸縮ストロークが変わり、巧みに対応でき、多様なニーズを満足させる進歩性がある。
その三：  前記フレキシブルクッションにある斜めに伸びた複数のフレキシブルフィードの設計により、フレキシブルクッションはよりよいフレキシブル伸縮量及び多方向にフレキシブルに対応するクッション効果が実現され、そこで、トランクは、垂直角度や斜め角度にあっても、フレキシブルのクッション効果があり、トランクキャスターのクッション効果の実用性と進歩性が大幅に向上される。
【考案を実施するための最良の形態】
【００１３】
以下本考案の各実施例について説明する。
【実施例１】
【００１４】
図５は本考案になるトランクキャスタークッション構造及びフレキシブルクッション及び軸ピンの実施例を示す。但し、これらの実施例は説明をするための参考であり、本考案はその構造の制限を受けないものである。
【００１５】
キャスター１０は、キャスター台２０に設けてある。キャスター台２０は、軸ピン３０により、トランク４０（図１１参照）の基台５０に設けられており、キャスター台２０と基台５０との間に、軸ピン３０の軸方向沿いに、フレキシブルクッション６０、硬質クッション７０及び回転ボール盤であるローリング部品８０が、上から下へと順に設けられている。
【００１６】
軸ピン３０は、軸径が異なった複数の部分を有し、下側から順に、最大の外径を有する第二作動空間形成部分３３、第二作動空間形成部分３３の外径より細い外径を有する第一作動空間形成部分３２、第一作動空間形成部分３２の外径より細い外径を有する基台位置決めセクション３１とを有する。第一作動空間形成部分３２が第一作動空間３２Ｓを形成し、第二作動空間形成部分３３が第二作動空間３３Ｓを形成する。二つの第一作動空間３２Ｓと第二作動空間３３Ｓとは独立している。
【００１７】
これにより、前記フレキシブルクッション６０は、第一作動空間３２Ｓと第二作動空間３３Ｓとに跨らないで、第一作動空間３２Ｓの範囲内のみで所定のフレキシブル伸縮変化を行う。これにより、フレキシブルクッション６０がキャスター台２０を圧迫してしまうことが防止され、よって、キャスター台２０の旋回が干渉されず、キャスター台２０は円滑に旋回するようになる。
【００１８】
軸ピン３０の基台位置決めセクション３１は、リベット３５を使用したリベット締めで基台５０にある位置決め孔５１に嵌合して設けられ、位置が決められる。この軸ピン３０の第一作動空間形成部分３２と基台位置決めセクション３１との間には、第一位置決め部３２１が設けてある。軸ピン３０の第一作動空間形成部分３２と第二作動空間形成部分３３との間には、第二位置決め部３２２が設けてあり、軸ピン３０の第二作動空間形成部分３３の底部には第三位置決め部３２３が設けてある。キャスター構造は、第一作動空間形成部分３２に対応した部分に、第一作動空間３２Ｓを有し、第二作動空間形成部分３３に対応した部分に、第二作動空間３３Ｓを有する。軸ピン３０は、下から上へと、前記キャスター台２０、ローリング部品８０、硬質クッション７０、フレキシブルクッション６０の夫々の中央貫通孔２０１、８０１、７０１、６０１を順に通っている。第一位置決め部３２１は、フレキシブルクッション６０の底面を係止している。硬質クッション７０はフレキシブルクッション６０によって下向きの弾力を作用され、硬質クッション７０の底面は第二位置決め部３２２に係止されている。フレキシブルクッション６０及び硬質クッション７０は、共に第一作動空間３２Ｓ内に設けてある。ローリング部品８０及びキャスター台２０の上部設置部２１は、第二作動空間３３Ｓ内に設けてある。軸ピン３０の第三位置決め部３２３は、キャスター台２０の中央貫通孔２０１の底面を係止して、キャスター台２０の位置を決めている。
【００１９】
フレキシブルクッション６０は、斜めに伸びた複数のフレキシブルフィード６１を有する。各フレキシブルフィード６１は、硬質クッション７０の上部に押し当たる。具体的には、フレキシブルクッション６０は、金属シートをプレス成形して形成され、周囲には、間隔を置きながら、カーブ形中空部６２が形成してあり、相対して外側片６３が設けてある。カーブ形中空部６２の外側は、フレキシブルクッション６０の縁を通って、外側片６３が下向きに所定の斜め角度で曲げられており、フレキシブルフィード６１が形成してある。
【００２０】
なお、フレキシブルクッション６０は、スプリング又は膠質弾性体又は伸縮可能のフレキシブル部品でもよい。
【００２１】
基台位置決めセクション３１の外径は、第一作動空間形成部分３２の外径より小さく、第一作動空間形成部分３２の外径は、第二作動空間形成部分３３の外径より小さく、軸ピン３０は三段階の柱状物である。
【００２２】
ローリング部品８０とキャスター台２０の上部との間には、下敷きインター８１が設けられている。
【００２３】
キャスター台２０はプラスチック材質で作られており、ローリング部品８０の回転ボールは硬いスチールボールであるため、下敷きインター８１を二者の間に敷くことによって、ローリング部品８０の回転ボールがキャスター台２０と直接に摩擦して摩損することを避けることができ、キャスター台２０の使用寿命が延ばされる。
【００２４】
この構造の組合せ、設計に基づき、フレキシブルクッション６０及び硬質クッション７０は、第一作動空間形成部分３２の位置に設けられ、フレキシブルクッション６０は中央貫通孔６０１内の孔壁６０２の底面が第一位置決め部３２１に突き当たり、フレキシブルクッション６０のフレキシブルの最大伸縮ストロークは、第一作動空間形成部分３２の範囲内となる。また、フレキシブルクッション６０のフレキシブルフィード６１は、硬質クッション７０を最大限で下向きに突き出して、硬質クッション７０は中央貫通孔７０１の内孔壁７０２の底面により、第一作動空間形成部分３２及び第二作動空間形成部分３３の間にある第二位置決め部３２２に突き当たって位置が限定されるようになる。
【００２５】
このため、ローリング部品８０は、フレキシブルクッション６０の伸縮変化に影響されず、キャスター台２０の旋回と共に円滑に旋回する状態になる。このため、図１０に示すように、トランク４０を方向変えにするとき（矢印Ｌ５）、キャスター台２０は、利用者の動きと共に旋回し、トランク４０の動き方向がルートＬ６に示すように変えられるようになる。
【００２６】
利用者はトランク４０を引いているとき、手にかかる負担が大きく低減され、大きなトランクを引く時でも、負担にはならない。上述の内容を見て、本考案は今までのない便利で、且つ実用性があるトランクキャスタークッション構造設計である。
[効果の説明]
1.本考案に掲示するトランクキャスタークッション構造は、主に軸ピンの外径により、少なくとも二個独立した作動空間形成部分があるオリジナルな特別設計になるものであり、前記フレキシブルクッションはもう一つの作動空間形成部分範囲に跨らず、対応する作動空間形成部分範囲内のみでフレキシブル伸縮変化を行うため、前記フレキシブルクッション及びローリング部品の動き範囲は、それぞれ具体的に限定され、トランクキャスターのクッション構造は、クッション効果及びキャスター台が円滑に旋回できることを兼ねて、キャスターのキャスター台は、利用者の動きと共に旋回でき、トランクの方向変えも巧みに行われるようになり、使用時、利用者の手に掛ける負担が大幅に低減され、気楽に利用でき、便利に使えるようになり、トランクの品質や実用性も大きく向上される。
【００２７】
２．業界では、仕様によるトランクの荷重状態に対応するために、前記軸ピンにある一作動空間形成部分の高さを変えると、フレキシブルクッションの伸縮ストロークが変わり、巧みに対応でき、多様なニーズを満足させる進歩性がある。
【００２８】
３．前記フレキシブルクッションは、斜めに伸びた複数のフレキシブルフィードの設計になり、フレキシブルクッションはよりよいフレキシブル伸縮量及び多方向にフレキシブルに対応するクッション効果が実現されるが、図９に示すように、前記フレキシブルクッション６０の一部に下向きの圧力Ｐを掛けたとき、間隔を置きながら周りに並べたフレキシブルフィード６１の設計により、同様にタイムリーのスプリング回復力が実現されるので、この優れた特質を生かし、トランク４０が垂直角度（図１１）又は斜め角度（図１２）になっても、フレキシブルに対応するクッション効果があり、トランクキャスターのクッション効果が大幅に向上される実用性・進歩性が実現される。
【００２９】
上述の実施例は本考案を具体的に説明したものであり、文中では特定の専門用語を用いて説明しているが、本考案の範囲を限定するものではなく、この技術分野を熟知した人員は本考案の精神及び原則を逸脱しない限り、本考案に変更または改良を加えることができる。しかし、それらの変更または改良は全て実用新案登録請求の範囲の範疇に含まれるものとする。
【図面の簡単な説明】
【００３０】
【図１】従来の構造の組合せ断面図である。
【図２】従来の構造の位置決め状態の平面イメージである。
【図３】利用者がトランクを前へ進みにするイメージである
【図４】従来のキャスタークッション構造がトランクに応用される時の実施形態イメージである。
【図５】本考案の好適な実施例の組合せ立体図である。
【図６】本考案の好適な実施例の分解立体図である。
【図７】本考案の好適な実施例の分解断面図である。
【図８】本考案の好適な実施例の組合せ断面図である。
【図９】本考案のフレキシブルクッションの一部が圧迫された状態のイメージである。
【図１０】本考案のキャスタークッション構造がトランクに応用された時の実施形態のイメージである。
【図１１】本考案のキャスターが垂直角度になるクッション状態図である。
【図１２】本考案のキャスターが斜め角度になるクッション状態図である。
【符号の説明】
【００３１】
１０  キャスター
２０  キャスター台
３０  軸ピン
３１  基台位置決めセクション
３２  第一作動空間形成部分
３２Ｓ  第一作動空間
３３  第二作動空間形成部分
３３Ｓ  第二作動空間
３２１  第一位置決め部
３２２  第二位置決め部
３２３  第三位置決め部
４０  トランク
５０  基台
５１  基台位置決め孔
６０  フレキシブルクッション
６０１  中央貫通孔
６０２  孔壁
６１  フレキシブルフィード
６２  カーブ形中空部
６３  外側片
７０  硬質クッション
８０  ローリング部品
８１  下敷きインター
【図１】
0003143706.tif 000003
【図２】
0003143706.tif 000004
【図３】
0003143706.tif 000005
【図４】
0003143706.tif 000006
【図５】
0003143706.tif 000007
【図６】
0003143706.tif 000008
【図７】
0003143706.tif 000009
【図８】
0003143706.tif 000010
【図９】
0003143706.tif 000011
【図１０】
0003143706.tif 000012
【図１１】
0003143706.tif 000013
【図１２】
0003143706.tif 000014